(57)【要約】      （修正有）【課題】小型葉巻たばこが最後まで喫煙可能で、吸殻も機械式に押し出すことが可能な喫煙パイプを提供する。【解決手段】内径直径約７ｍｍで全長約５０ｍｍ程度の貫通した金属製パイプの先端片方のみを約２０度から４５度程度のフレア形状に加工してたばこ挿入差込口１−ａを形成し、吸い口４方向へ向かって約１５ｍｍの位置から長さ約２０ｍｍ幅約３．２ｍｍの開口穴１−ｂを設ける。その内部に挿入するための外径直径約７ｍｍ全長約４０ｍｍの貫通した金属製パイプ２にはたばこ挿入側先端部から吸い口側方向へ向かって約２０ｍｍの位置にネジ穴を一箇所設け、そのネジ穴に長さ約８ｍｍ程度の摘み付きネジ５を挿入し金属パイプの内部を金属パイプ２が前後に約２０ｍｍスライド移動可動する状態に構成する。金属パイプ２が残留している吸殻たばこを押し出す機能が達成される。【選択図】図１
0003190626.tif 000002
【実用新案登録請求の範囲】
【請求項１】
内径直径約７ｍｍの金属製パイプがタバコ挿入差込口を約２０度から４５度程度のフレア形状に加工された全長５０ｍｍ程度の貫通した形状を有しその中に外径直径約７ｍｍの貫通した長さ４０ｍｍ程度の金属パイプを挿入しスライド可能な構造を有する小型葉巻たばこ吸殻排出機構付き喫煙パイプ。
【考案の詳細な説明】
【技術分野】
【０００１】この考案は、喫煙具に関しフィルターが付属しない小型葉巻たばこおよび紙巻たばこ専用喫煙パイプ喫煙後に、その吸殻を喫煙パイプから機械式に押し出す排出機構付きの喫煙パイプの道具に関する。
【背景分野】
【０００２】従来は、機械巻きで常温保管が可能なドライシガーに分類される葉巻たばこのうち小型の葉巻たばこシガリロを喫煙する際、フィルターが付属してない為その根元付近まで喫煙した場合たばこを保持する手指が熱くなり、未喫煙部分のたばこ葉を消煙せざるを得なく、また紙巻たばこ用パイプでシガリロを短くまで喫煙する場合パイプ内部にたばこ葉が残留したまま消煙し、その吸殻をパイプ内から取り出す段階で針状のもので掻き出す等の不自由さがあり、一般的な紙巻たばこ用喫煙パイプではシガリロ用に代用するのが困難であった。シガリロの喫煙時間を長くし最後まで味わえて、かつ吸殻を機械的に排出する機構が付属した喫煙パイプが存在しなかった背景にある。
【考案の概要】
【０００３】喫煙具における小型葉巻たばこ吸殻排出機構付き喫煙パイプを製造し提供すること。
【考案が解決しようとする課題】
【０００４】ドライシガーに分類される小型葉巻たばこシガリロおよび両切り紙巻たばこをその根元付近まで喫煙することは、その喫煙時間の延長とゆとりが喫煙時の味を変化させ元来嗜好品である葉巻たばこをゆっくり最後まで吸えるようにすること。またその吸殻を掻き出すことなく機械式に容易に押し出す機能を付属させた喫煙パイプであること。また喫煙パイプを使用することによりフィルターを必要とせずパイプの構造や形成物質により喫味が変化し濾過効果もあること。葉巻たばこおよび両切りたばこの欠点であった喫煙時にたばこ葉や巻き紙が唇に付着することや口腔内に入ってくることを皆無にすること、熱から唇や手指を守ることなどを喫煙時に提供することが課題である。
【課題を解決するための手段】
【０００５】小型葉巻たばこ用の喫煙パイプの形成は、その挿入差込口の口径の内径直径が約７ｍｍ程度にする。小型葉巻たばこを差し込みやすくする為に差込み口を約２０度から４５度程度のフレア形状に加工し、その全長は所持しやすい長さでかつ喫味をまろやかに変化させる為、また内部に吸殻を排出するスライド用金属貫通パイプを挿入する為に長さ５０ｍｍ程度の不燃性の物質で金属素材を選択し貫通したパイプ形状で製作し、たばこ差し込み口金属部から吸い口までは途中に竹等の素材と樹脂等の素材を組み合わせにすることにより熱伝導を遮断し咥え易い形状にすること。吸殻を機械式に排出する為に内径直径７ｍｍの貫通パイプ内部にさらに外径直径約７ｍｍかつ外側パイプより１０ｍｍ程度短い金属製の貫通パイプを挿入し、スライド稼働を手動で行える用に内部金属パイプに３ｍｍネジ穴部を一箇所設け、直径３ｍｍの取手ネジ摘みを装着し外側パイプに切れ込みを設け取手ネジ摘みを突出させた。内部金属貫通パイプをスライドできるように外側金属パイプにたばこ差込口から１５ｍｍ程度の箇所から吸い口に向かって前後方向に長さ２０ｍｍ幅３．２ｍｍ程度窓開口切断加工し、スライドネジ摘みが喫煙時に動かない用に金属パイプの前後方向に対し約９０度方向横へ移動するように３ｍｍ程度Ｌ字型に窓開口切断加工する。
【考案の効果】
【０００６】小型葉巻たばこ吸殻排出機構付き喫煙パイプを使用することにより、小型葉巻たばこが最後まで喫煙可能で、その吸殻も機械式に押し出すことが可能であり、かつ喫煙パイプによる喫味が貫通した煙道によりウッドパイプのようなまろやかな喫味を演出する。小型葉巻たばこや両切り紙巻たばこを手指で保持することなく喫煙する為手や唇が熱くならない。小型葉巻たばこの喫煙方法が増え広く応用できる。
【図面の簡単な説明】
【０００７】
【図１】「小型葉巻たばこ吸殻排出機構付き喫煙パイプを示した平面図である」
【図２】「小型葉巻たばこ吸殻排出機構付き喫煙パイプを示した断面図である」
【考案を実施するための形態】
【０００８】この考案は、小型葉巻たばこを容易に喫煙する構造と喫味を変化させるため製作形成される不燃性素材で真鍮を使用し、喫煙時に保持する際に手が熱くならないように金属部を竹や木等に接続し、吸い口は樹脂等で形成したものを装着させた。
【実施例】
【０００９】［図１］１−ａ（フレア加工側）より小型葉巻たばこシガリロの外径が細い側を挿入し喫煙後２）スライドパイプに付属した５）ネジ部を手動で移動させ吸殻を排出する。
【産業上の利用可能性】
【００１０】小型葉巻たばこシガリロ．を使用する喫煙者による利用が考えられる。
【符号の説明】
【００１１】１）真鍮製パイプ全長約５０ｍｍ  外径８ｍｍ  内径７ｍｍ  肉厚０．５ｍｍ
１−ａ  手巻きたばこ差込み挿入口  フレア加工約４５度開口  外径約８ｍｍ
１−ｂ  差し込み口先端より約１５ｍｍの位置から吸い口方向へ長さ約２０ｍｍ
幅約３．２ｍｍ切断窓開口後切断端部から約９０度方向へ長さ
約３ｍｍ幅約３ｍｍ切断窓開口
２）真鍮製パイプ全長約４０ｍｍ  外径７ｍｍ  内径６ｍｍ  肉厚０．５ｍｍ
先端から約２０ｍｍの位置に３ｍｍのネジ穴加工
３）竹または木製等で長さ約５０ｍｍ  内径約８ｍｍ内部貫通
４）樹脂製等で長さ約３０ｍｍ  外径約８ｍｍ内部貫通
５）金属製ネジで長さ約８ｍｍ  ネジ太さ径３ｍｍ  取手摘み付き
【図１】
0003190626.tif 000003
【図２】
0003190626.tif 000004
【手続補正書】
【提出日】平成26年2月26日(2014.2.26)
【手続補正１】
【補正対象書類名】実用新案登録請求の範囲
【補正対象項目名】全文
【補正方法】変更
【補正の内容】
【実用新案登録請求の範囲】
【請求項１】
内径直径約７ｍｍで全長約５０ｍｍ程度の貫通した金属製パイプの先端片方のみを約２０度から４５度程度のフレア形状に加工後たばこ挿入差込口を形成し、その内径直径約７ｍｍで全長約５０ｍｍの金属製パイプ先端フレア側たばこ挿入差込口部から吸い口方向へ向かって約１５ｍｍの位置から長さ約２０ｍｍ幅約３．２ｍｍの窓穴加工による開口穴を設け、その貫通金属パイプ内部に挿入するための外径直径約７ｍｍ全長約４０ｍｍの貫通した金属製パイプにたばこ挿入側先端部から吸い口側方向へ向かって約２０ｍｍの位置にネジ穴を一箇所設け、内径直径約７ｍｍのフレア加工及び窓穴開口加工をし貫通した金属パイプに外径直径約７ｍｍの貫通した金属パイプを挿入後、内径直径約７ｍｍの金属パイプ開口窓穴加工部からその内部に挿入した外径直径７ｍｍの金属パイプのネジ穴に長さ約８ｍｍ程度の摘み付きネジを挿入し内径直径約７ｍｍの貫通した金属パイプの内部を外径直径約７ｍｍの貫通した金属パイプが吸い口側からたばこ挿入差込口に向かって前後に約２０ｍｍスライド移動可動する状態に構成することによって内部貫通金属パイプがスライド可能な構造を有し内部の外径直径約７ｍｍの金属パイプがフレア側に挿入後残留している吸殻たばこを喫煙中は後方吸い口側に位置していた摘み付きネジを指等でたばこ挿入差込口側に移動可動し押し出す機能が達成される小型葉巻たばこ吸殻排出機構付き喫煙パイプ。